(57)【要約】【課題】  従来技術では、情報記録再生装置のユーザ設定やユーザ認証に使用するユーザ情報は、ユーザの所持する必要十分な機能を有する電子機器に基づくか、あるいはユーザの所持する唯一の無線タグにより実現されていた。  しかし、前者が、情報記録再生装置のユーザの識別を実現するためには、ユーザが必要十分な機能を有する電子機器を常時携帯することが必要であった。また、後者が、情報記録再生装置のユーザの識別を実現するには、ユーザの所持する唯一の無線タグによるため、今後、無線タグの需要が増大すること想定すると、無線タグの識別情報の誤認など問題が考えられる。【解決手段】  前記課題に鑑み、近年小型化が進み電子機器以外のものにも埋め込みが可能な識別情報装置（例えばRFタグチップ）を複数利用し、複数の識別情報を１つのユーザIDに関連付ける。【選択図】  図１
2005149555.tif 000002
【特許請求の範囲】
【請求項１】
情報を記録又は再生する情報記録再生装置において、
複数の識別情報装置の識別情報を走査する走査手段と、
前記走査手段により走査された前記複数の識別情報装置の識別情報を１つのユーザIDに関連付けして登録する登録手段と、
を有することを特徴とした情報記録再生装置。
【請求項２】
情報を記録又は再生する情報記録再生装置において、
複数の識別情報装置の識別情報を走査する走査手段と、
前記走査手段により走査された前記複数の識別情報装置の識別情報を１つのユーザIDに関連付けして登録する登録手段と、
前記走査手段により走査された前記複数の識別情報装置の識別情報からユーザIDを認証する認証手段と、
を有することを特徴とした情報記録再生装置。
【請求項３】
情報を記録又は再生する情報記録再生装置において、
複数の識別情報装置の識別情報を走査する走査手段と、
前記走査手段により走査された前記複数の識別情報装置の識別情報を１つのユーザIDに関連付けして登録する登録手段と、
前記走査手段により走査された前記複数の識別情報装置の識別情報から前記ユーザIDを認証する認証手段と、
を有し、前記登録手段により登録する前記複数の識別情報装置の識別情報数は、前記認証手段により前記ユーザIDを認証するのに必要な前記複数の識別情報装置の識別情報数以上であることを特徴とした情報記録再生装置。
【請求項４】
前記認証手段により認証された前記ユーザID以外のユーザへ情報記録再生装置の機能に制限をくわえる機能制限手段を有することを特徴とした請求項２又は３に記載の情報記録再生装置。
【請求項５】
請求項１乃至４記載の走査手段は、前記複数の識別情報装置の識別情報を走査する範囲を切り替えることができることを特徴とする情報記録再生装置。
【請求項６】
請求項２乃至４記載の走査手段において、
前記複数の識別情報装置の識別情報を走査する範囲は、
前記複数の識別情報装置の識別情報を１つのユーザIDに関連付けして登録する際の範囲より、前記複数の識別情報装置の識別情報から前記ユーザIDを認証する際の範囲が大きいことを特徴とする情報記録再生装置。
【請求項７】
情報を記録又は再生する情報記録再生装置において、
前記情報記録再生装置の機能に制限をかけている際、前記情報記録再生装置を基準に所定範囲内に所定数以上のRFタグが存在したときは、前記制限を解除することを特徴とする情報記録再生装置。
【発明の詳細な説明】
【技術分野】
【０００１】
情報記録再生装置の使用に際して、ユーザを識別し、情報記録再生装置に登録されたユーザ以外には情報記録再生装置の機能に制限を設ける、情報記録再生装置に関する。
【背景技術】
【０００２】
従来は、ビデオカメラ等を含む電子機器である情報記録再生装置は単独で利用されていた。近年、これらの機器は多機能化され、ユーザが設定する内容も多様化している。こうした時流と、無線技術の発達から、ユーザの識別機能を有し、自動的に該ユーザの設定内容を有効にする情報記録再生装置や、そのユーザ識別方法が開示されている。
【０００３】
【特許文献１】特開２００３−１６９２４７号公報
【０００４】
【特許文献２】特開２００２−１５７０４０号公報
【発明の開示】
【発明が解決しようとする課題】
【０００５】
上記従来技術では、情報記録再生装置のユーザ設定やユーザ認証に使用するユーザ情報は、ユーザの所持するユーザ設定やユーザ認証に十分な機能を有する電子機器に基づくか、あるいはユーザの所持する唯一の無線タグなどに基いていた。
【０００６】
しかし、前者が、情報記録再生装置のユーザの識別を実現するためには、ユーザがユーザ認証に十分な機能を有する電子機器を常時携帯することが必要であった。また、後者が、情報記録再生装置のユーザの識別を実現するには、ユーザの所持する唯一の無線タグによるため、今後、無線タグの需要が増大することを想定すると、無線タグチップの識別情報誤認などの問題が考えられる。
【０００７】
そこで、本発明は、利便性が良く、ユーザの識別誤認を抑えた情報記録再生装置を提供することを目的とする。
【課題を解決するための手段】
【０００８】
近年小型化が進み電子機器以外のものにも埋め込みが可能な識別情報装置（例えばRFタグチップ）を複数利用し、複数の識別情報を１つのユーザIDに関連付ける。
【発明の効果】
【０００９】
複数の識別情報装置の識別情報を利用することで、利便性が向上し、ユーザの識別誤認を抑えた情報記録再生装置を提供することができる。
【発明を実施するための最良の形態】
【００１０】
以下、本発明の実施形態を説明する。
【００１１】
なお、本実施形態において、記録媒体は、光ディスク（CD、DVD、BD等）であるものとして説明をするが、本発明の記録媒体は前記記録媒体に限られるものではない。ハードディスク、MD（Mini Disc）などの磁気ディスク、半導体メモリなど、情報を記録する記録媒体に適応することができる。
【００１２】
図１は、本発明を適用した一実施形態である情報記録再生装置と、他の装置との通信接続、識別情報が記録されたRFタグチップとの通信を示す構成図である。
【００１３】
図１において、情報記録再生装置１００は、表示装置１０１、ネットワーク１０２、RFタグチップ１０３、他の装置１１０と対応する。ここで、他の装置１１０とは、情報記録再生装置１００と同種の装置であっても良いし、異種の装置であっても良い。また、表示装置１０１は情報記録再生装置１００と一体式であっても構わない。システム制御回路１０４は、CPUとメモリで構成され、記録制御回路１０５、表示制御回路１０７、ネットワーク制御回路１０８、RFタグ読み込み制御回路１０９など、各種回路の処理を制御する。なお、システム制御回路１０４が有するメモリは不揮発性メモリやフラッシュメモリでも良いし、持ち運びが可能な光ディスク、磁気ディスク、光磁気ディスク、半導体メモリなどの記録媒体でも良い。記録再生制御回路１０５は、光ディスク１０６からのデータの読み出しや、光ディスク１０６へのデータの書き込みなどの制御を行う。表示制御回路１０７は、記録再生制御回路１０５にて読み出したデータを、表示装置１０１へ表示可能な形式に変換する。また、表示制御回路１０７は、必要に応じてOSD(On Screen Display)を重ねて表示装置１０１へ出力する。ネットワーク制御回路１０８は、ネットワーク１０２経由で、他の装置１１０と接続し、データの送受信制御を行う。RFタグ読み込み制御回路１０９は、RFタグチップ１０３から識別情報を走査する。システム制御回路１０４は必要に応じて、該識別情報をメモリや記録媒体１０６へ登録したり、該識別情報をユーザの認証処理に利用する。
【００１４】
図２は、本発明を適用した一実施形態である情報記録再生装置１００で扱うユーザIDと複数の識別情報、ここではRFタグ、ならびにユーザ設定情報を関連付けて管理するテーブルを示す図である。
【００１５】
図２において、２００はユーザIDを示し、２０１はRFタグを示す。２０２はユーザID２００に対応するパスワードやユーザ設定情報を示す。情報記録再生装置１００のシステム制御回路１０４が必要に応じて、RFタグ読み込み制御回路１０９によりRFタグチップ１０３を走査する。システム制御回路１０４が必要に応じて図２に示すテーブルに基づき、読み込まれたRFタグをユーザの認証、あるいは後述するユーザ設定などに利用する。例えば、ユーザID１には、ユーザ識別用RFタグ情報として、RFタグA、B、Cを関連付ける。パスワードやユーザ設定情報２０２は、ユーザID２００毎に管理する。
【００１６】
図３は、本発明を適用した一実施形態である情報記録再生装置１００がRFタグチップ１０３を走査する場合の各モードを示す図である。３００はモードで、３０１にはモード３００に対応するRFタグの読み込み可能距離を示している。RFタグ登録モードは、ユーザID登録時にユーザを特定するためのRFタグを読み込むためのモードである。広範域を走査すると、膨大なRFタグを読み込んでしまい、その全てをユーザ識別に必要な情報として登録すると、後述するユーザ認証の際、認証が困難となる。また、読み込んだRFタグをユーザが選択して自己のユーザ認証に必要なRFタグを登録する場合には、選択肢が多くなり処理が煩雑となってしまう。そのため、RFタグチップ１０３の読み込み可能な範囲を狭くしてユーザIDに関連付けるRFタグを特定しやすくするモードである。ユーザ認証モードは、本実施例の情報記録再生装置１００を利用するユーザを特定するためのモードで、前記ユーザID２００の特定に使用する複数のRFタグ２０１を取得するための読み込み可能な範囲とするモードである。本実施例の情報記録再生装置１００を利用するユーザのRFタグを走査するのに適した読み込み可能範囲を設定している。通常モードは、ユーザが本実施例の情報記録再生装置１００の各種機能を実行する際に設定するモードで、読み込み可能な範囲が広いモードである。OFFモードは、RFタグを読み込む機能を無効化するモードである。ユーザが本機能を利用しない場合に設定する。
【００１７】
図４は、本発明を適用した一実施形態である情報記録再生装置１００の起動時のRFタグ読み込みに関する処理フローを示した図である。情報記録再生装置１００が起動されると、ステップ４００にて、システム制御回路１０４がRFタグを読み込むためのモードを初期モードであるユーザ認証モードに設定する。次に、ステップ４０１にてRFタグ読み込み制御回路１０９が走査範囲にある、ユーザが携帯もしくは身に付けているRFタグチップ１０３からRFタグを取得する。ステップ４０２にて、システム制御回路１０４が前ステップにて取得した複数のRFタグを利用し、図２に示したユーザID２００とRFタグ２０１のテーブルを参照して、ユーザの登録IDを照合する。ステップ４０３にて、システム制御回路１０４がユーザ認証されたか否かを判定する。ユーザID２００が登録されていると判定された場合、ステップ４０４にて、システム制御回路１０４がユーザID２００に対応するユーザ設定２０２の情報を利用し、また、ユーザ設定されたパスワードがあればシステム制御回路１０４が既知の方法にてパスワードを確認し、ステップ４０５にてユーザ設定を行い、起動処理を終了する。
【００１８】
ステップ４０３にて、ユーザID２００が認証されなかった場合は、ステップ４０６にて、システム制御回路１０４が表示制御回路１０７を介して表示装置１０１へ「新規登録？」等の画面を表示することにより、ユーザへユーザIDの新規登録を促す。ここでユーザがキャンセルした場合は、情報記録再生装置１００の起動処理は終了する。その後、情報記録再生装置１００はユーザ未登録の状態で利用可能とするか、あるいは利用できない状態へと移行する。ユーザがユーザIDの新規登録を選択した場合は、ステップ４０７にて、システム制御回路１０４がRFタグを読み込むためのモードをRFタグ登録モードへモード変更する。ステップ４０８にて、RFタグ読み込み制御回路１０９が走査範囲にある、ユーザが携帯もしくは身に付けているRFタグチップ１０３からRFタグ情報を取得し、RFタグ読み込み処理を行う。必要に応じてステップ４０９にてパスワードを設定し、ステップ４１０にて、システム制御回路１０４が図２で示したテーブルへユーザを識別するためのユーザIDやパスワードなどの登録を行う。ステップ４１１にて、システム制御回路１０４がRF読み込みモードを通常モードへモード変更し、起動処理終了となる。特にユーザがRFタグ読み込みモードを変更しない限り、利用時のモードが通常モードとしてユーザ設定情報に含まれるので、次回の利用時も通常モードでの利用は可能となる。
【００１９】
図５は、本発明を適用した一実施形態である情報記録再生装置１００の機能実行時のRFタグ読み込みに関する処理フローを示した図である。
【００２０】
なお、図中において、コマンドは、例えばデータの記録、データの削除等の編集機能や、ユーザID設定機能等の機能を示し、コマンド実行は前記各機能の実行を指す。さらに、情報記録再生装置１００は必要に応じて、既知の手段によりユーザID毎の属性や、機能制限を設定するユーザの管理者属性、その他一般ユーザ属性ならびに前記設定情報を管理情報として管理する機能を有するものとする。
【００２１】
図５を利用して、機能実行時の処理フローを以下説明する。
【００２２】
ステップ５００にて、システム制御回路１０４が、RFタグを読み込むためのモードをユーザ認証モードに設定する。次に、ステップ５０１にて、RFタグ読み込み制御回路１０９が捜査範囲内にあるRFタグを読み込む。ステップ５０２にて、前ステップにて読み込んだRFタグを利用し、システム制御回路１０４が、図２に示したユーザID２００とRFタグ２０１のテーブルを参照して、ユーザの登録IDを照合する。ステップ５０３にて、システム制御回路１０４が前記ステップの登録ID照合結果に基いて、該ユーザが登録されているか否かを判定する。システム制御回路１０４が、読み込まれたユーザIDは登録されていると判断した場合には、該ユーザ設定情報２０２から該機能利用可否情報を読み取る。その結果、当該機能が利用可能の設定であれば、以降の機能実行をシステム制御回路１０４が許可する。そして、ステップ５０４にて、システム制御回路１０４が情報記録再生装置１００の機能を実行する。また、ステップ５０３において、該ユーザ登録されていないと判断された場合、あるいは該ユーザの認証はされたが当該機能の利用を制限されている場合には、ステップ５０６にて、情報記録再生装置１００の当該機能を実行できない旨を、ユーザに対してシステム制御回路１０４が表示制御回路１０７を介して表示装置１０１に表示する。最後に、ステップ５０５にて、システム制御回路１０４がコマンドを実行する前にユーザが利用していた、モードへ復帰する。
【００２３】
図６は、本発明を適用した一実施形態である情報記録再生装置１００の機能実行時のRFタグ読み込みに関する処理フローを示した図である。なお、図中において、コマンドは機能を示し、コマンド実行は機能実行を示す。
【００２４】
ユーザが情報記録再生装置１００を利用し、ネットワーク１０２経由で他の装置１１０と接続して実現する機能、例えば、記録中もしくは記録済みのデータについて、他の装置１１０へデータを転送する機能等について説明する。ユーザは、一般的な既知の手段である操作メニューからデータ転送機能を選択し、この処理を行う。
【００２５】
図６を利用して、情報記録再生装置１００と他の装置１１０間におけるデータ転送を実現する処理フローを以下説明する。なお、機能実行前後の処理フローは、図５で説明したフローに従い、ネットワーク１０２経由に関わる機能実行部に絞り説明する。
【００２６】
ステップ６００にて、システム制御回路１０４がRFタグを読み込むためのモードを通常モードに設定する。次に、ステップ６０１にて、RFタグ読み込み制御回路１０９がRFタグを読み込む。ステップ６０２にて、前ステップにて読み込んだRFタグを利用し、システム制御回路１０４が、図２に示したユーザID２００とRFタグ２０１のテーブルを参照して、ユーザの登録IDを照合する。ステップ６０３にて、システム制御回路１０４がネットワーク制御回路１０８を利用し、有線もしくは無線のネットワーク１０２経由で、他の機器と既知の手段で接続処理を行う。ネットワーク制御回路１０８は、双方の機器において、現在その機器を利用しているユーザの該RFタグ情報を伝達し、双方が登録済みユーザIDであることを確認できたところでネットワーク１０２の接続が確立する。ステップ６０４にて、システム制御回路１０４が接続先の機器を利用するユーザがユーザ認証されたか否かを判定して、ユーザIDが登録されていると判定された場合、以降の機能実行を許可する。記録済みのデータ転送の場合は、記録再生制御回路１０５が光ディスク１０６からデータを読み込み、記録中のデータの転送の場合は、記録再生制御回路１０５がデータをネットワーク制御回路１０８を介してデータ転送を行う。
【００２７】
ステップ６０４において、ユーザ認証されなかった場合は、ステップ６０７にて、データ転送機能を実行できない旨を、ユーザに対してシステム制御回路１０４が表示制御回路１０７を介して表示装置１０１に表示して知らせる。
【００２８】
ステップ６０６にて、接続の解除を行い、図５のフローにて説明した機能実行後の処理を行う。
【００２９】
このように、複数のRFタグをユーザIDと関連させて管理することで、ユーザが高機能な電子機器を携帯していない場合でも、ユーザは、情報記録再生装置１００のユーザ認証を手軽に行えるようになる。また、本技術は、既存の技術と組み合わせて、様々な機能の制限手段として応用可能となり、情報記録再生装置１００における利便性と情報の保護技術としても活用できる。
【００３０】
なお、本実施例では、図２のテーブルで、RFタグのA、B、CをユーザID１として管理、認証したが、例えば、システム制御回路１０４は、ユーザ登録時にRFタグ読み込み制御回路１０９で読み込まれたRFタグのA〜ZまでをユーザID１として管理し、上述したコマンド実行時などの際には、RFタグA〜Zの内１０個以上が認証されれば、ユーザID１として認識するといった応用も考えられる。
【図面の簡単な説明】
【００３１】
【図１】本発明の実施形態である情報記録再生装置と他の機器との通信接続、識別情報が記録されたRFタグチップとの通信を示す構成図である。
【図２】本発明の実施形態である情報記録再生装置で扱うユーザとRFタグ、ならびにユーザ設定情報を関連付けて管理するテーブルを示す図である。
【図３】本発明の実施形態である情報記録再生装置でRFタグを走査する場合のモードを示す図である。
【図４】本発明の実施形態である情報記録再生装置の起動時のRFタグ読み込みに関する処理フローを示した図である。
【図５】本発明の実施形態である情報記録再生装置の機能実行時のRFタグ読み込みに関する処理フローを示した図である。
【図６】本発明の実施形態である情報記録再生装置の機能実行時、特にネットワークを介した機能実行時のRFタグ読み込みに関する処理フローを示した図である。
【符号の説明】
【００３２】
１００…情報記録再生装置、１０１…表示装置、１０２…ネットワーク、１０３…RFタグチップ、１０４…システム制御回路、１０５…記録再生制御回路、１０６…記録媒体、１０７…表示制御回路、１０８…ネットワーク制御回路、１０９…RFタグ読み込み制御回路、１１０…他の装置。
【図１】
2005149555.tif 000003
【図２】
2005149555.tif 000004
【図３】
2005149555.tif 000005
【図４】
2005149555.tif 000006
【図５】
2005149555.tif 000007
【図６】
2005149555.tif 000008